(57)【要約】【課題】裁断した各ＩＣインレットを従来の装置よりも短時間に粘着テープ上に貼り付けることができるＩＣインレット貼り付け装置を提供する。【解決手段】ＩＣインレット貼り付け装置（６００）は、フィルム台座（２２０）と、フィルムをフィルム台座上において決められた長さだけ搬送する搬送機構（２３０）と、決められた長さのフィルムを裁断するカッター（２４０）と、カッターに対して近づく方向とカッターから離れる方向に移動可能な可動台座（２５０）と、からなる。可動台座は、カッターが決められた長さのフィルムを裁断するときに、カッターの直下に移動する。カッターにより裁断されたフィルムは可動台座上の粘着テープ上に自然落下し、その後、可動台座はカッターから離れる方向に移動する。【選択図】図１
2007175798.tif 000002
【特許請求の範囲】
【請求項１】
ＩＣインレットが連続的に貼り付けられているフィルムを載置するフィルム台座と、
前記フィルムを前記フィルム台座上において決められた長さだけ搬送する搬送機構と、
前記決められた長さの前記フィルムを裁断するカッターと、
前記カッターに対して近づく方向と前記カッターから離れる方向に移動可能な可動台座と、
からなるＩＣインレット貼り付け装置であって、
前記可動台座の上面上には、粘着面を上にして粘着テープが張力を加えられた状態で供給されており、
前記可動台座は、前記搬送機構が前記決められた長さの前記フィルムを搬送し、前記カッターが前記決められた長さの前記フィルムを裁断するときに、前記可動台座は前記カッターの直下に移動し、
前記カッターにより裁断された前記決められた長さの前記フィルムは前記粘着テープ上に自然落下し、その後、前記可動台座は前記カッターから離れる方向に移動するものであるＩＣインレット貼り付け装置。
【請求項２】
前記可動台座が前記カッターから離れている間に、前記カッターは、相互に隣接するＩＣインレットの間の空白部の前記フィルムを裁断するものであることを特徴とする請求項１に記載のＩＣインレット貼り付け装置。
【請求項３】
前記可動台座が前記カッターの直下に移動したときの前記フィルム台座と前記可動台座の先端との間の距離は１ｍｍ乃至２ｍｍであることを特徴とする請求項１または２に記載のＩＣインレット貼り付け装置。
【請求項４】
前記可動台座の先端は曲率を有しており、前記曲率の中心と前記フィルム台座の角とを結ぶ線分が水平方向となす角度は１度以上であることを特徴とする請求項１乃至３の何れか一項に記載のＩＣインレット貼り付け装置。
【請求項５】
前記粘着テープに加えられる前記張力を調節可能な張力調節ローラを備えていることを特徴とする請求項１乃至４の何れか一項に記載のＩＣインレット貼り付け装置。
【請求項６】
前記張力調節ローラは、前記粘着テープ上に貼られたＩＣインレット間の間隔が所定の間隔からずれたときに、そのずれの量に応じて、前記張力を調節するものであることを特徴とする請求項５に記載のＩＣインレット貼り付け装置。
【発明の詳細な説明】
【技術分野】
【０００１】
本発明は、ＩＣインレットが連続的に形成されているフィルムを各ＩＣインレット毎に裁断し、裁断した各ＩＣインレットを粘着テープ上に貼り付けるＩＣインレット貼り付け装置に関する。
【背景技術】
【０００２】
図１３は、ＩＣインレット貼り付け装置に使用される従来のフィルム裁断装置の概略的な斜視図である。
【０００３】
このフィルム裁断装置は、上刃部１００と、下刃部１１０と、下刃部１１０用のバキューム機構（図示せず）と、吸着機構（図示せず）を備える移載ハンド１２０と、フィルム１４０を搬送する搬送装置１５０と、下刃部１１０を前進及び後退させる移送装置（図示せず）と、を備えている。
【０００４】
上刃部１００は上下動可能に構成されている。また、下刃部１１０にはバキューム孔１３０が形成されており、このバキューム孔１３０はバキューム機構（図示せず）に通じている。
【０００５】
フィルム１４０は、搬送装置１５０により、下刃部１１０に向かって搬送され、フィルム１４０の先端が下刃部１１０上に達すると、バキューム機構（図示せず）が作動して、フィルム１４０の先端はバキューム孔１３０を介して下刃部１１０に吸着される。
【０００６】
この状態において、上刃部１００が下降し、下刃部１１０上に吸着されているフィルム１４０を裁断する。
【０００７】
この後、下刃部１１０を前進／後退させる移送装置（図示せず）が作動し、下刃部１１０は、裁断されたフィルム片１４０ａを吸着したまま、矢印Ａの方向、すなわち、フィルム１４０から離れる方向に移動する。
【０００８】
次いで、吸着機構（図示せず）を備える移載ハンド１２０が下降し、裁断されたフィルム片１４０ａを吸着し、フィルム片１４０ａを所定の位置まで下降させる。
【０００９】
所定の位置まで下降したフィルム片１４０ａは、例えば、所定の粘着テープ上に貼り付けられる。
【特許文献１】特開２００５−９５９９１号公報（図１）
【発明の開示】
【発明が解決しようとする課題】
【００１０】
図１３に示した従来のＩＣインレット貼り付け装置に使用されるフィルム裁断装置においては、上述のように、裁断されたフィルム片１４０ａの移送は吸着機構を備える移載ハンド１２０により行われていた。
【００１１】
すなわち、フィルム片１４０ａが裁断されると、各フィルム片１４０ａ毎に移載ハンド１２０が上昇及び下降を繰り返して、各フィルム片１４０ａを所定の粘着テープ上に貼り付けていた。
【００１２】
このため、一つのフィルム片１４０ａを所定の粘着テープ上に貼り付けるためにかなりの時間を必要とし、作業効率の低下の大きな原因となっていた。
【００１３】
本発明は、このような従来のＩＣインレット貼り付け装置における問題点に鑑みてなされたものであり、裁断した各ＩＣインレットをより短時間に粘着テープ上に貼り付けることができるＩＣインレット貼り付け装置を提供することを目的とする。
【課題を解決するための手段】
【００１４】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１５】
上記の目的を達成するため、本発明は、ＩＣインレット（４１０）が連続的に貼り付けられているフィルム（２１０）を載置するフィルム台座（２２０）と、前記フィルム（２１０）を前記フィルム台座（２２０）上において決められた長さだけ搬送する搬送機構（２３０）と、前記決められた長さの前記フィルム（２１０）を裁断するカッター（２４０）と、前記カッター（２４０）に対して近づく方向（Ａ）と前記カッター（２４０）から離れる方向（Ｂ）に移動可能な可動台座（２５０）と、からなるＩＣインレット貼り付け装置（２００、６００）であって、前記可動台座（２５０）の上面上には、粘着面を上にして粘着テープ（２６０）が張力を加えられた状態で供給されており、前記可動台座（２５０）は、前記搬送機構（２３０）が前記決められた長さの前記フィルム（２１０）を搬送し、前記カッター（２４０）が前記決められた長さの前記フィルム（２１０）を裁断するときに、前記可動台座（２５０）は前記カッター（２４０）の直下に移動し、前記カッター（２４０）により裁断された前記決められた長さの前記フィルム（２１０）は前記粘着テープ（２６０）上に自然落下し、その後、前記可動台座（２５０）は前記カッター（２４０）から離れる方向に移動するものであるＩＣインレット貼り付け装置（２００）を提供する。
【００１６】
前記カッター（２４０）は、前記可動台座（２５０）が前記カッター（２４０）から離れている間に、相互に隣接するＩＣインレット（４１０）の間の空白部の前記フィルム（２１０）を裁断するように構成することができる。
【００１７】
前記可動台座（２５０）が前記カッター（２４０）の直下に移動したときの前記フィルム台座（２２０）と前記可動台座（２５０）の先端との間の距離は１ｍｍ乃至２ｍｍであることが好ましい。
【００１８】
前記可動台座（２５０）の先端は曲率を有しており、前記曲率の中心と前記フィルム台座（２２０）の角とを結ぶ線分が水平方向となす角度は１度以上であることが好ましい。
【００１９】
ＩＣインレット貼り付け装置（６００）は、前記粘着テープ（２６０）に加えられる前記張力を調節可能な張力調節ローラ（６１０）を備えるものとして構成することができる。
【００２０】
前記張力調節ローラ（６１０）は、前記粘着テープ（２６０）上に貼られたＩＣインレット（４１０）間の間隔が所定の間隔からずれたときに、そのずれの量に応じて、前記張力を調節するものとして構成することができる。
【発明の効果】
【００２１】
本発明に係るＩＣインレット貼り付け装置によれば、図１３に示した従来のフィルム裁断装置におけるような移載ハンド１２０を用いる必要がなくなる。従って、ＩＣインレット貼り付け装置の部品点数の減少及びＩＣインレット貼り付け装置自体の大きさの縮小化を図ることが可能である。
【００２２】
また、本発明に係るＩＣインレット貼り付け装置においては、可動台座が水平方向に移動することにより、裁断され、自然落下してくるＩＣインレットフィルムを拾う。このため、移載ハンド１２０が上昇及び下降を繰り返すような図１３に示した従来のフィルム裁断装置とは異なり、各ＩＣインレットを粘着テープ上に貼り付ける作業の効率を大幅に向上させることができ、さらには、作業時間の大幅な短縮を図ることができる。
【００２３】
また、本発明に係るＩＣインレット貼り付け装置においては、隣接するＩＣインレット間の空白領域を裁断することが可能である。このため、ＩＣインレットフィルム上にＩＣインレットが等間隔には配置されていない場合（例えば、種類が異なるために大きさや幅が異なるＩＣインレットが配列されているような場合）であっても、各ＩＣインレットを確実に取り出し、粘着テープ上に貼り付けることが可能である。
【００２４】
さらに、粘着テープ上のＩＣインレット間の間隔が予め定められた所定の間隔と比べてずれることがある。このような場合であっても、粘着テープに加えられる張力を調節可能な張力調節ローラによって、間隔のずれを矯正することが可能である。
【発明を実施するための最良の形態】
【００２５】
（第一の実施形態）
図１は、本発明の第一の実施形態に係るＩＣインレット貼り付け装置２００を含むＩＣインレット製造装置５００の概略図である。
【００２６】
図１に示すように、ＩＣインレット製造装置５００は、ＩＣインレット４１０（図２参照）が一方向に連続的に非等間隔に貼り付けられているＩＣインレットフィルム２１０（図２参照）のロールであるＩＣインレットフィルムロール２１１と、ＩＣインレットフィルム２１０を載置する平面を有するフィルム台座２２０と、ＩＣインレットフィルム２１０をフィルム台座２２０上において決められた長さだけ搬送する搬送機構としての搬送ロール２３０と、ＩＣインレットフィルム２１０を裁断するカッター２４０と、カッター２４０に対して近づく方向Ａ及びカッター２４０から離れる方向Ｂの双方に水平方向に移動可能な可動台座２５０と、基材紙と両面粘着テープと剥離紙とがこの順番に積層されて形成されている粘着性フィルム２６０のロールである粘着性フィルムロール２６１と、粘着性フィルム２６０から剥離紙を剥がす一対の剥離ロール２６２と、剥離ロール２６２により剥がされた剥離紙を巻き取る剥離紙巻き取りロール２６３と、プラスチックフィルムからなる上面紙２７０のロールである上面紙ロール２７１と、上面紙２７０を粘着性フィルム２６０（粘着性フィルム２６０上には既にＩＣインレット４１０が置かれている）上に圧着する圧着ロール２８０と、上面紙２７０が圧着されている粘着性フィルム２６０を所定のパターンにパターニングする金型２９０と、金型２９０によりパターニングされた粘着性フィルム２６０を巻き取る巻き取りロール３００と、から構成されている。
【００２７】
カッター２４０に近い側の可動台座２５０の端部は円弧形状をなしており、この円弧形状の端部の回りに粘着性フィルム２６０が巻かれている。すなわち、可動台座２５０は粘着性フィルム２６０に対して張力を与える張力付与手段として作用しており、このため、可動台座２５０の上面上には、粘着面を上にして、粘着性フィルム２６０が張力を加えられた状態で載置されている。
【００２８】
フィルム台座２２０の底面には、ＩＣインレットフィルム２１０の裁断クズを収容する裁断クズ受け部２２１が取り付けられている。
【００２９】
なお、上記のＩＣインレット製造装置５００の構成要素のうち、フィルム台座２２０と、搬送機構としての搬送ロール２３０と、カッター２４０と、可動台座２５０とが本発明の第一の実施形態に係るＩＣインレット貼り付け装置２００を構成している。
【００３０】
図２は、ＩＣインレット４１０が一方向に連続的に貼り付けられているＩＣインレットフィルム２１０の平面図である。
【００３１】
図２に示すように、一の方向に延びるＩＣインレットフィルム２１０の表面上には、ＩＣインレット４１０が連続的に貼り付けられている。各ＩＣインレット４１０は、メモリを備えるＩＣチップ４１０ａと、ＩＣチップ４１０ａに接続され、ＩＣチップ４１０ａと非接触式の通信（データの送受信）を行うアンテナ４１０ｂと、から構成されており、ＩＣチップ４１０ａとアンテナ４１０ｂとは絶縁性基板４１０ｃ上に形成されている。
【００３２】
なお、ＩＣインレット４１０はＩＣインレットフィルム２１０の表面上において非等間隔に配列されているものとする。すなわち、隣接するＩＣインレット４１０間の距離は一定ではない。
【００３３】
図３は、粘着性フィルム２６０の構成を示す断面図である。
【００３４】
粘着性フィルム２６０は、基材紙２６０Ａと、基材紙２６０Ａ上に貼り付けられた両面粘着テープ２６０Ｂと、両面粘着テープ２６０Ｂ上に貼り付けられた剥離紙２６０Ｃと、からなる。
【００３５】
このうち、剥離紙２６０Ｃは、上述のように、剥離ロール２６２により、引き剥がされ、剥離紙巻き取りロール２６３に巻き取られる。
【００３６】
以上のような構造を有するＩＣインレット製造装置５００並びに本実施形態に係るＩＣインレット貼り付け装置２００は次のように作動する。
【００３７】
先ず、搬送ロール２３０が反時計方向に回転することにより、搬送ロール２３０の回転量に応じて、ＩＣインレットフィルムロール２１１からＩＣインレットフィルム２１０が搬出される。
【００３８】
前述のように、ＩＣインレットフィルム２１０はフィルム台座２２０上を搬送されるように配置されている。図１に示す状態（初期状態）においては、ＩＣインレットフィルム２１０の先端はフィルム台座２２０の右端に整列されている。
【００３９】
この状態から、搬送ロール２３０が、１個分のＩＣインレット４１０に対応する長さのＩＣインレットフィルム２１０をＩＣインレットフィルムロール２１１から搬出させることにより、１個分のＩＣインレット４１０に対応する長さのＩＣインレットフィルム２１０がフィルム台座２２０の右端から空中に突出する。
【００４０】
ＩＣインレットフィルム２１０がフィルム台座２２０の右端から空中に突出する前に、あるいは、ＩＣインレットフィルム２１０がフィルム台座２２０の右端から空中に突出するのと同時に、可動台座２５０がＡ方向に移動し、フィルム台座２２０に接触する直前の位置で停止する。
【００４１】
粘着性フィルム２６０は粘着性フィルムロール２６１と巻き取りロール３００との間に掛け渡されている。
【００４２】
粘着性フィルムロール２６１から繰り出された粘着性フィルム２６０の剥離紙２６０Ｃは剥離紙ロール２６２により両面粘着テープ２６０Ｂから剥がされ、剥離紙巻き取りロール２６３に巻き取られる。剥離紙２６０Ｃを剥がされた粘着性フィルム２６０は両面粘着テープ２６０Ｂを上にして、可動台座２５０によりテンションが付与された状態にある。
【００４３】
ＩＣインレットフィルム２１０がフィルム台座２２０の右端から空中に突出した後、カッター２４０が降下し、ＩＣインレットフィルム２１０の突出部分を裁断する。
【００４４】
裁断されたＩＣインレットフィルム２１０の突出部分は自然落下し、フィルム台座２２０に接触する直前の位置で停止している可動台座２５０上に落下する。可動台座２５０上には粘着性フィルム２６０が両面粘着テープ２６０Ｂを上にした状態で待機している。このため、落下したＩＣインレットフィルム２１０の突出部分は両面粘着テープ２６０Ｂ上に落下することとなる。
【００４５】
両面粘着テープ２６０Ｂ上に落下したＩＣインレットフィルム２１０の突出部分には１個のＩＣインレット４１０が包含されている。
【００４６】
カッター２４０はＩＣインレットフィルム２１０の突出部分を裁断すると、直ちに元の位置（図１に示す位置）に上昇する。
【００４７】
両面粘着テープ２６０Ｂ上にＩＣインレットフィルム２１０の突出部分が落下すると、可動台座２５０はＢ方向に移動し、フィルム台座２２０から離れる（なお、可動台座２５０の動作については後に詳述する）。
【００４８】
この後、巻き取りロール３００が時計方向に回転し、粘着性フィルム２６０の巻き取りを開始する。
【００４９】
上面紙ロール２７１から供給される上面紙２７０は粘着性フィルム２６０上に重ねられ、圧着ロール２８０を通過することにより、上面紙２７０は粘着性フィルム２６０上に接着される。なお、粘着性フィルム２６０上にはＩＣインレット４１０が既に置かれているため、上面紙２７０は、粘着性フィルム２６０との間にＩＣインレット４１０を挟んだ状態で、粘着性フィルム２６０上に接着される。
【００５０】
次いで、粘着性フィルム２６０及びその上のＩＣインレット４１０は金型２９０により所定のパターンにパターニングされる。
【００５１】
その後、パターニングされたＩＣインレット４１０が接着されている粘着性フィルム２６０は巻き取りロール３００に巻き取られる。
【００５２】
図４乃至図９は可動台座２５０の動作の一例を示す概略図である。以下、図４乃至図９を参照して、可動台座２５０の動作を説明する。
【００５３】
図４は、１個分のＩＣインレット４１０に対応する長さのＩＣインレットフィルム２１０がカッター２４０により裁断され、粘着性フィルム２６０上に落下した後の状態を示している。
【００５４】
この状態においては、ＩＣインレットフィルム２１０の先端はフィルム台座２２０の右端に整列されている。
【００５５】
図２に示したように、隣接するＩＣインレット４１０の間には空白領域が存在する。ＩＣインレットフィルム２１０においては、ＩＣインレット４１０は非等間隔に配列されているため、この空白領域の長さは一定ではない。このため、先ず、最初に、この空白領域を除去する。
【００５６】
図５に示すように、搬送ロール２３０が反時計方向に回転することにより、空白領域の長さの分だけ、ＩＣインレットフィルム２１０をフィルム台座２２０の右端から突出させる。例えば、ＩＣインレットフィルム２１０を画像認識することにより各ＩＣインレット４１０間の距離を計測し、その距離に応じて、搬送ロール２３０が回転する。
【００５７】
次いで、図６に示すように、カッター２４０が降下し、フィルム台座２２０の右側面に沿って、ＩＣインレットフィルム２１０を裁断する。この裁断により、ＩＣインレットフィルム２１０の空白領域が裁断され、裁断された空白領域は裁断クズ受け部２２１の中に落下する。
【００５８】
カッター２４０は、ＩＣインレットフィルム２１０を裁断した後、直ちに上昇し、元の位置（図４に示す位置）に復帰する。
【００５９】
次いで、図７に示すように、搬送ロール２３０が反時計方向に回転することにより、１個のＩＣインレット４１０に対応する長さの分だけ、ＩＣインレットフィルム２１０をフィルム台座２２０の右端から突出させる。
【００６０】
巻き取りロール３００は時計方向に回転し、粘着性フィルム２６０の巻き取りを開始する。これと同時に、可動台座２５０はＡ方向に移動を開始し、フィルム台座２２０の右側面の直前まで移動し、停止する。
【００６１】
図７に示すように、可動台座２５０はその上面がフィルム台座２２０の上面よりも下方に位置するように配置されている。具体的には、可動台座２５０とフィルム台座２２０との高低関係は、可動台座２５０の上面上にある粘着性フィルム２６０の上面がフィルム台座２２０上にあるＩＣインレットフィルム２１０の下面よりも下方に位置するように定められている。
【００６２】
巻き取りロール３００は、先に裁断したＩＣインレット４１０（粘着性フィルム２６０上にある）がある程度の距離だけ移動した時点において、その時計方向の回転を止める。従って、粘着性フィルム２６０の移動も停止する。
【００６３】
次いで、図８に示すように、カッター２４０が降下し、ＩＣインレットフィルム２１０を裁断する。
【００６４】
これにより、フィルム台座２２０の右端から突出したＩＣインレットフィルム２１０の部分が裁断される。裁断されたＩＣインレットフィルム２１０の突出部分は、可動台座２５０上の粘着性フィルム２６０上に自然落下する。粘着性フィルム２６０は両面粘着テープ２６０Ｂが上を向くようにして可動台座２５０上に位置しているため、粘着性フィルム２６０上に自然落下したＩＣインレットフィルム２１０の突出部分は粘着性フィルム２６０上に接着する（ただし、この場合の接着力はまだ小さい）。
【００６５】
図９に示すように、カッター２４０はＩＣインレットフィルム２１０を裁断した直後に上昇を開始し、元の位置（図４に示す位置）に復帰する。
【００６６】
それと同時に、可動台座２５０はＢ方向に移動を開始し、図４に示す位置まで移動を行う。
【００６７】
図４乃至図６に示した工程により、ＩＣインレット４１０間に存在するＩＣインレットフィルム２１０の空白領域が裁断される。ただし、必要がない場合には、図４乃至図６に示した工程は省力することができる。
【００６８】
図４及び図７乃至図９に示した工程により、ＩＣインレット４１０が一つずつＩＣインレットフィルム２１０から裁断され、粘着性フィルム２６０上に配列される。
【００６９】
図１０は、フィルム台座２２０と可動台座２５０との位置関係を示す部分的な拡大図である。
【００７０】
前述のように、可動台座２５０はその上面がフィルム台座２２０の上面よりも下方に位置するように配置され、可動台座２５０上にある粘着性フィルム２６０の上面がフィルム台座２２０上にあるＩＣインレットフィルム２１０の下面よりも下方に位置するように定められている。
【００７１】
このため、可動台座２５０の円弧形状端部（カッター２４０に近い側の端部）の曲率中心Ｒとフィルム台座２２０の右側面の上端Ｓとを結ぶ線分が水平方向Ｈとなす角度Ｙは１度以上であることが好ましい。
【００７２】
また、可動台座２５０がＡ方向に移動し、最もフィルム台座２２０に接近した位置（図１０に示す位置）においては、可動台座２５０の端部に巻かれている粘着性フィルム２６０の表面とフィルム台座２２０の右側面との間の距離は１ｍｍ乃至２ｍｍであることが好ましい。
【００７３】
本実施形態に係るＩＣインレット貼り付け装置２００によれば、次のような効果を得ることができる。
【００７４】
本実施形態に係るＩＣインレット貼り付け装置２００によれば、図１３に示した従来のフィルム裁断装置におけるような移載ハンド１２０を用いる必要はない。従って、装置の部品点数の減少及び装置自体の大きさの縮小化を図ることができる。
【００７５】
また、本実施形態に係るＩＣインレット貼り付け装置２００においては、可動台座２５０が水平方向に移動することにより、裁断されたＩＣインレットフィルム２１０を拾うため、移載ハンド１２０が上昇及び下降を繰り返すような図１３に示した従来のフィルム裁断装置とは異なり、各ＩＣインレット４１０を粘着テープ２６０上に貼り付ける作業の効率を大幅に向上させることができ、さらには、作業時間の大幅な短縮を図ることができる。
【００７６】
また、本実施形態に係るＩＣインレット貼り付け装置２００においては、隣接するＩＣインレット４１０間の空白領域を裁断することが可能である。このため、ＩＣインレットフィルム２１０上にＩＣインレット４１０が等間隔には配置されていない場合（例えば、種類が異なるために大きさや幅が異なるＩＣインレットが配列されているような場合）であっても、各ＩＣインレット４１０を確実に取り出し、粘着テープ２６０上に貼り付けることが可能である。
【００７７】
なお、本実施形態においては、ＩＣインレットフィルム２１０上にＩＣインレット４１０が非等間隔に配置されているが、ＩＣインレット４１０が等間隔に配置されているＩＣインレットフィルム２１０を用いることも可能である。
【００７８】
（第二の実施形態）
図１１は、本発明の第二の実施形態に係るＩＣインレット貼り付け装置６００を含むＩＣインレット製造装置７００の概略図である。
【００７９】
ＩＣインレット貼り付け装置６００は、第一の実施形態におけるＩＣインレット貼り付け装置２００と比較して、張力調節ローラ６１０とＩＣインレットセンサー６２０とを備えている点が異なっており、この点以外の構造は第一の実施形態におけるＩＣインレット貼り付け装置２００と同一である。このため、図１に示した第一の実施形態に係るＩＣインレット製造装置５００の構成要素と同一の構成要素には同一の符号を付し、詳細な説明は省略する。
【００８０】
ＩＣインレットセンサー６２０は粘着テープ２６０上に貼り付けられたＩＣインレット４１０間の間隔を検出し、検出された間隔を予め定められた所定の間隔と比較する。
【００８１】
検出されたＩＣインレット４１０間の間隔が予め定められた所定の間隔よりも小さい場合には、ＩＣインレットセンサー６２０は第一信号を張力調節ローラ６１０に発信する。また、検出されたＩＣインレット４１０間の間隔が予め定められた所定の間隔よりも大きい場合には、ＩＣインレットセンサー６２０は第二信号を張力調節ローラ６１０に発信する。検出されたＩＣインレット４１０間の間隔が予め定められた所定の間隔と等しい場合には、ＩＣインレットセンサー６２０は信号を発信することなく、ＩＣインレット４１０間の間隔の検出を継続する。
【００８２】
図１２は、張力調節ローラ６１０の拡大図である。
【００８３】
図１２に示すように、張力調節ローラ６１０は、粘着テープ２６０に接して、粘着テープ２６０に対して直接的に張力を付与する張力付与ローラ６１１と、回転力を出力する駆動モーター６１２と、駆動モーター６１２の出力軸と張力付与ローラ６１１の回転中心軸とを結合するリンク６１３と、から構成されている。
【００８４】
駆動モーター６１２は、例えば、ステップモーターからなり、回転量（回転角度）を自在に調節することができる。後述するように、駆動モーター６１２はＩＣインレットセンサー６２０から第一信号または第二信号を受信し、第一信号または第二信号に応じて、駆動軸を回転させる。
【００８５】
駆動モーター６１２の駆動軸とリンク６１３とは固定的に結合されている。このため、駆動モーター６１２の駆動軸から出力される回転力はそのままリンク６１３に伝達される。
【００８６】
張力付与ローラ６１１はリンク６１３に対して回転可能であるように、リンク６１３と結合されている。
【００８７】
以下、本実施形態に係るＩＣインレット貼り付け装置６００における張力調節ローラ６１０及びＩＣインレットセンサー６２０の動作を説明する。
【００８８】
ＩＣインレットセンサー６２０は粘着テープ２６０上に貼り付けられたＩＣインレット４１０間の間隔を検出し、検出された間隔を予め定められた所定の間隔と比較する。ＩＣインレットセンサー６２０は比較結果に応じて第一信号または第二信号を駆動モーター６１２に発信する。
【００８９】
駆動モーター６１２がＩＣインレットセンサー６２０から第一信号を受信した場合（検出されたＩＣインレット４１０間の間隔が予め定められた所定の間隔よりも小さい場合）には、駆動モーター６１２はその駆動軸を反時計方向に回転させる。駆動モーター６１２の駆動軸の反時計方向の回転に伴い、リンク６１３を介して、張力付与ローラ６１１も駆動モーター６１２の駆動軸を中心として反時計方向Ｃに回転する。この結果、張力付与ローラ６１１が粘着テープ２６０に対して与える張力が小さくなり、粘着テープ２６０が巻き取りローラ３００により巻き取られる量が増大する。このため、粘着テープ２６０上におけるＩＣインレット４１０間の間隔が大きくなり、ＩＣインレット４１０間の間隔が予め定められた所定の間隔に等しくなる。
【００９０】
逆に、駆動モーター６１２がＩＣインレットセンサー６２０から第二信号を受信した場合（検出されたＩＣインレット４１０間の間隔が予め定められた所定の間隔よりも大きい場合）には、駆動モーター６１２はその駆動軸を時計方向に回転させる。駆動モーター６１２の駆動軸の時計方向の回転に伴い、リンク６１３を介して、張力付与ローラ６１１も駆動モーター６１２の駆動軸を中心として時計方向Ｄに回転する。この結果、張力付与ローラ６１１が粘着テープ２６０に対して与える張力が大きくなり、粘着テープ２６０が巻き取りローラ３００により巻き取られる量が減少する。このため、粘着テープ２６０上におけるＩＣインレット４１０間の間隔が小さくなり、ＩＣインレット４１０間の間隔が予め定められた所定の間隔に等しくなる。
【００９１】
以上のように、本実施形態に係るＩＣインレット貼り付け装置６００によれば、粘着テープ２６０上のＩＣインレット４１０間の間隔を自動調整することが可能である。
【図面の簡単な説明】
【００９２】
【図１】本発明の第一の実施形態に係るＩＣインレット貼り付け装置を含むＩＣインレット製造装置の概略図である。
【図２】ＩＣインレットが一方向に連続的に貼り付けられているＩＣインレットフィルムの平面図である。
【図３】粘着性フィルムの構成を示す断面図である。
【図４】可動台座の動作の一例を示す概略図である。
【図５】可動台座の動作の一例を示す概略図である。
【図６】可動台座の動作の一例を示す概略図である。
【図７】可動台座の動作の一例を示す概略図である。
【図８】可動台座の動作の一例を示す概略図である。
【図９】可動台座の動作の一例を示す概略図である。
【図１０】フィルム台座と可動台座との位置関係を示す部分的な拡大図である。
【図１１】本発明の第二の実施形態に係るＩＣインレット貼り付け装置を含むＩＣインレット製造装置の概略図である。
【図１２】張力調節ローラの拡大図である。
【図１３】ＩＣインレット貼り付け装置に使用される従来のフィルム裁断装置の概略的な斜視図である。
【符号の説明】
【００９３】
２００  本発明の第一の実施形態に係るＩＣインレット貼り付け装置
５００  ＩＣインレット製造装置
２１０  ＩＣインレットフィルム
２１１  ＩＣインレットフィルムロール
２２０  フィルム台座
２２１  裁断クズ受け部
２３０  搬送ロール
２４０  カッター
２５０  可動台座
２６０  粘着性フィルム
２６０Ａ  基材紙
２６０Ｂ  両面粘着テープ
２６０Ｃ  剥離紙
２６１  粘着性フィルムロール
２６２  剥離ロール
２６３  剥離紙巻き取りロール
２７０  上面紙
２７１  上面紙ロール
２８０  圧着ロール
２９０  金型
３００  巻き取りロール
４１０  ＩＣインレット
４１０ａ  ＩＣチップ
４１０ｂ  アンテナ
４１０ｃ  絶縁性基板
６００  本発明の第二の実施形態に係るＩＣインレット貼り付け装置
７００  ＩＣインレット製造装置
６１１  張力付与ローラ
６１２  駆動モーター
６１３  リンク
６２０  ＩＣインレットセンサー
【図１】
2007175798.tif 000003
【図２】
2007175798.tif 000004
【図３】
2007175798.tif 000005
【図４】
2007175798.tif 000006
【図５】
2007175798.tif 000007
【図６】
2007175798.tif 000008
【図７】
2007175798.tif 000009
【図８】
2007175798.tif 000010
【図９】
2007175798.tif 000011
【図１０】
2007175798.tif 000012
【図１１】
2007175798.tif 000013
【図１２】
2007175798.tif 000014
【図１３】
2007175798.tif 000015